(57)【要約】      （修正有）【課題】  低背化を実現しつつ、大きな嵌合ずれを吸収して、コネクタの自動組立等に於いても正しい位置で嵌合することのできるコネクタ及び携帯端末を提供する。【解決手段】  プラグ本体は、プラグコネクタの挿抜方向に沿ってリセプタクルコネクタ側へ延び、少なくとも先端部は先細となるように形成された少なくとも２つの案内柱部９３を備え、リセプタクル本体は、プラグコネクタをリセプタクルコネクタに挿入するときに、案内柱部９３の先端部９３ｂをその内部にそれぞれ案内するような傾斜面２８ｃを備える少なくとも２つの誘い込み凹部２８と、プラグコネクタの挿入方向に沿って誘い込み凹部２８に連なって凹設され、案内柱部の先端部を収納する収納部３８と、を備える。【選択図】  図４
2006210206.tif 000002
【特許請求の範囲】
【請求項１】
絶縁部材からなるプラグ本体、及び、前記プラグ本体に保持された少なくとも１以上のプラグコンタクト、を有するプラグコネクタと、
絶縁部材からなり前記プラグコネクタが挿抜される差込溝が設けられたリセプタクル本体、及び、前記差込溝に前記プラグコネクタが挿入されたときに前記プラグコンタクトに接触導通するように前記リセプタクル本体に保持された少なくとも１以上のリセプタクルコンタクト、を有するリセプタクルコネクタと、
を備えたコネクタであって、
前記プラグ本体は、前記プラグコネクタの挿抜方向に沿って前記リセプタクルコネクタ側へ突出し、少なくとも先端部は先細となるように形成された部分を有する少なくとも２つの案内柱部を備え、
前記リセプタクル本体は、前記プラグコネクタを前記リセプタクルコネクタに挿入するときに、前記案内柱部の先端部をその内部にそれぞれ案内するような傾斜面を備える少なくとも２つの誘い込み凹部と、前記プラグコネクタの挿入方向に沿って前記誘い込み凹部に連なって凹設され、前記案内柱部の先端部を収納する収納部と、を備えることを特徴とするコネクタ。
【請求項２】
前記案内柱部は、前記プラグ本体の対向する両端面上に少なくとも一つずつ設けられている請求項１記載のコネクタ。
【請求項３】
前記案内柱部は、平面形状が略長方形の前記プラグ本体の対角上に設けられている請求項１又は請求項２記載のコネクタ。
【請求項４】
前記案内柱部は、前記プラグ本体の対向する両端面の長手方向略中央に設けられている請求項１又は請求項２記載のコネクタ。
【請求項５】
前記案内柱部は互いに離間している請求項１〜４のいずれか１項記載のコネクタ。
【請求項６】
前記案内柱部は前記プラグ本体の対向する両端面の内側面に形成されている請求項１〜５のいずれか１項記載のコネクタ。
【請求項７】
前記誘い込み凹部の少なくとも一つは、前記プラグコネクタの挿抜方向直交断面が略Ｖ字状である請求項１〜６のいずれか１項記載のコネクタ。
【請求項８】
前記誘い込み凹部の少なくとも一つは、前記プラグコネクタの挿抜方向直交断面が略コの字状である請求項１〜７のいずれか１項記載のコネクタ。
【請求項９】
前記収納部は、前記リセプタクル本体の底部を貫通する貫通孔として設けられている請求項１から８のいずれか１項記載のコネクタ。
【請求項１０】
前記リセプタクル本体の底部の下面には、ボス部が少なくとも２つ備えられ、前記収納部は、前記リセプタクル本体の底部を貫通する貫通孔と、前記ボス部内に凹設された有底孔とを連通してなる請求項９記載のコネクタ。
【請求項１１】
前記リセプタクル本体の底部の下面には、ボス部が少なくとも２つ備えられ、前記収納部は、前記リセプタクル本体の底部を貫通する貫通孔と、前記ボス部を貫通する貫通孔とを連通してなる請求項９記載のコネクタ。
【請求項１２】
請求項１から請求項１１のいずれか１項記載のコネクタを備えたことを特徴とする携帯端末。
【発明の詳細な説明】
【技術分野】
【０００１】
本発明は、互いに結合して電気的に接続されるリセプタクルとプラグを備えたコネクタ及びこのコネクタを備えた携帯端末に関する。
【背景技術】
【０００２】
リセプタクルとプラグとを備え、リセプタクルに設けられた差込溝にプラグを挿入することにより両者を導通させるコネクタにおいては、これを搭載する携帯端末その他の装置の小型化に伴って、低背化や実装基板上の占有面積の低減、すなわち小型化の要請が強まりつつある。
【０００３】
しかし、小型化に伴いコネクタを嵌合する際に手動による位置合せが難しくなるとともに、さらに低背化により一方のコネクタを誘い込む傾斜面を小さくしなければならなく、嵌合の作業性が低下するという問題がある。これに対して極力傾斜面を大きくして嵌合の作業性を向上させるコネクタが提案されている（特許文献１）。
【０００４】
また、携帯端末の普及、販売競争激化により、生産数量の増加やコストダウンの要求が高まりつつあり、これらへの対応のひとつとして組み立て工程の自動化が急速に進展しつつある。コネクタの組み立ての自動化においては、特に、プラグコネクタのリセプタクルコネクタへの嵌合工程の自動化（以下、嵌合を機械により自動で行うことを自動嵌合と言う）が嵌合前の位置合せ精度の点から困難である。よってプラグコネクタとリセプタクルコネクタとの嵌合前の位置ずれ、すなわち嵌合ずれが大きい状態からでも、正しい位置で嵌合することができるコネクタが要望されている。
【特許文献１】特開２００１−２７３９４９号公報
【発明の開示】
【発明が解決しようとする課題】
【０００５】
しかしながら、上述の電気コネクタでは、低背化を実現しつつ、目視し難い状態での手動や自動嵌合を行うときに発生する大きな嵌合ずれに対応することが困難であり、特に嵌合時の基板間の高さが２ｍｍ以下になるとより対応することが困難であった。この電気コネクタにおいて、嵌合ずれを吸収できていない状態で無理に自動嵌合を行うと、コンタクトの座屈その他の損傷、及び、コネクタ本体部の破損を招くおそれがある。
【課題を解決するための手段】
【０００６】
上記課題を解決するために、本発明のコネクタにおいては、絶縁部材からなるプラグ本体、及び、プラグ本体に保持された少なくとも１以上のプラグコンタクト、を有するプラグコネクタと、絶縁部材からなりプラグコネクタが挿抜される差込溝が設けられたリセプタクル本体、及び、差込溝にプラグコネクタが挿入されたときにプラグコンタクトに接触導通するようにリセプタクル本体に保持された少なくとも１以上のリセプタクルコンタクト、を有するリセプタクルコネクタと、を備えたコネクタであって、プラグ本体は、プラグコネクタの挿抜方向に沿ってリセプタクルコネクタ側へ突出し、少なくとも先端部は先細となるように形成された部分を有する少なくとも２つの案内柱部を備え、リセプタクル本体は、プラグコネクタをリセプタクルコネクタに挿入するときに、案内柱部の先端部をその内部にそれぞれ案内するような傾斜面を備える少なくとも２つの誘い込み凹部と、プラグコネクタの挿入方向に沿って誘い込み凹部に連なって凹設され、案内柱部の先端部を収納する収納部と、を備えることを特徴としている。
【０００７】
上記案内柱部は、プラグ本体の対向する両端面上に少なくとも一つずつ設けられているとよい。また、上記案内柱部は、平面形状が略長方形のプラグ本体の対角上に設けられていることが好ましい。さらに、上記案内柱部は、プラグ本体の対向する両端面の長手方向略中央に設けることもできる。また、上記案内柱部は互いに離間しているとよい。また、上記案内柱部はプラグ本体の対向する両端面の内側面に形成することが好ましい。
【０００８】
上記誘い込み凹部の少なくとも一つは、プラグコネクタの挿抜方向直交断面が略Ｖ字状又は略コの字状であることが好ましい。
【０００９】
上記収納部は、リセプタクル本体の底部を貫通する貫通孔として設けることができる。
【００１０】
上記リセプタクル本体の底部の下面にボス部が少なくとも２つ備えられるときは、収納部を、リセプタクル本体の底部を貫通する貫通孔と、ボス部内に凹設された有底孔とを連通して設けることができる。
【００１１】
上記リセプタクル本体の底部の下面にボス部が少なくとも２つ備えられるとき、収納部を、リセプタクル本体の底部を貫通する貫通孔と、ボス部を貫通する貫通孔とを連通して設けても良い。
【００１２】
本発明に係る携帯端末は、上述のいずれかのコネクタを備えたことを特徴としている。
【発明の効果】
【００１３】
本発明によると、プラグ本体に案内柱部を設けるとともに、リセプタクル本体に誘い込み凹部及び収納部を設けたことにより、低背化を実現しつつ、手動や自動嵌合における大きな嵌合ずれを吸収して正しい位置で嵌合することのできるコネクタを提供することができる。
【００１４】
さらに、嵌合ずれがあったとしても、プラグコンタクトとリセプタクルコンタクトとが当接する前に、プラグコネクタとリセプタクルコネクタを正対させることができる。
【発明を実施するための最良の形態】
【００１５】
以下、本発明にかかる実施形態を図面を参照しつつ詳しく説明する。
＜第１実施形態＞
第１実施形態に係るコネクタは、互いに結合して電気的に接続されるリセプタクルコネクタ１０（図１）とプラグコネクタ５０（図２）とを備える。例えば、リセプタクルコネクタ１０とプラグコネクタ５０の一方をＬＣＤ（液晶ディスプレイ）（表示装置）ユニットやＣＣＤ（電荷結合素子）（撮像素子）ユニット側に配置し、他方をこれらのユニットと導通して動作を制御する基板側に配置して、リセプタクルコネクタ１０とプラグコネクタ５０とを結合することによってユニットと基板とを電気的に接続する。また、本実施形態に係るプラグコネクタ５０とリセプタクルコネクタ１０は、携帯端末（例えば、携帯電話、携帯可能なコンピュータを含むＰＤＡ（Personal Digital Assistant））内における接続や、携帯端末と外部機器との接続に適用することができる。なお、リセプタクルコネクタ１０及びプラグコネクタ５０は、ＬＣＤユニットのほかに、表示装置として、ＣＲＴ(Cathode Ray Tube)ディスプレイユニット、プラズマディスプレイユニット、有機エレクトロルミネッセント素子ディスプレイユニットにも適用することができる。また、ＣＣＤユニットのほかに、撮像素子として、ＣＭＯＳ（Complementary Metal Oxide Semiconductor）ユニットにも、リセプタクルコネクタ１０及びプラグコネクタ５０を適用することができる。
【００１６】
図１に示すリセプタクルコネクタ１０は、プラグコネクタ５０が挿抜される差込溝２１が設けられた略直方体形状のリセプタクル本体２０と、差込溝２１の両側にそれぞれ配設された複数のリセプタクルコンタクト３０と、リセプタクル本体２０の長手方向両端の壁部２２、２３のそれぞれに対して組み付けられたリセプタクル側アンカー４０と、を備える。ここで、プラグコネクタ５０をリセプタクルコネクタ１０に嵌合するときにプラグコネクタ５０が配置される側（図１において上側）を上側、リセプタクルコネクタ１０が配置される側（図１において下側）を下側と称している。
【００１７】
リセプタクル本体２０は、絶縁部材である合成樹脂の射出成型品からなり、例えばナイロン９Ｔ（商標）、変性ナイロン、液晶ポリマーを射出成型してなる絶縁性部材である。このリセプタクル本体２０の壁部２２の内壁には、リセプタクル側アンカー４０を挟んだ両側の位置に、リセプタクルコネクタ１０に対するプラグコネクタ５０の挿抜方向（図１（ａ）の上下方向）直交断面が略Ｖ字状に凹設された誘い込み凹部２５及び略コの字状に凹設された誘い込み凹部２６が設けられている。一方、壁部２３の内壁には、リセプタクル側アンカー４０を挟んだ両側の位置に、誘い込み凹部２７、２８が設けられている。誘い込み凹部２７は、誘い込み凹部２５と対向する位置において、プラグコネクタ５０の挿抜方向直交断面が略コの字状に凹設され、誘い込み凹部２８は、誘い込み凹部２６と対向する位置において略Ｖ字状に凹設されている。
【００１８】
図１（ｃ）に示すように、誘い込み凹部２８は、リセプタクル本体２０の底部２０ａの上面２０ａ１から、プラグコネクタ５０の挿入方向に沿って、さらに下方まで凹設して形成した収納部３８に連設されている。収納部３８は、段部２０ａ２を介してリセプタクル本体２０の底部２０ａの上面２０ａ１まで連設されている。一方、誘い込み凹部２８の立設面２８ｂの上部には、上方へ向かうほど外側へ広がっていくような傾斜面２８ｃが形成されている。この傾斜面２８ｃと立設面２８ｂとの境界線Ｐ１は、プラグコネクタ５０のリセプタクルコネクタ１０への挿抜方向において、長手方向壁部６１の端面６１ａと同じ位置に配置されている。このような構成は、誘い込み凹部２５〜２７の底部２５ａ〜２７ａ、傾斜面２５ｃ〜２７ｃ、及び、収納部３５〜３７についても同様であるためその説明は省略する。
【００１９】
リセプタクルコンタクト３０は差込溝２１を挟むように配置され、差込溝２１の外側に延びるリセプタクル側端子部３４は取付対象物（例えば回路基板）の導電パターンに半田固定される。
【００２０】
リセプタクル側アンカー４０は、長板状部材からなる連結部４２と、連結部４２の長手方向中央においてその幅方向端部から延設された弾性保持部４３と、長手方向に垂直に折り曲げられた連結部４２の両端部４６、４７のそれぞれから、連結部４２の長手方向に平行に延設された一対のリセプタクル側固定部４８、４９と、から構成される。
【００２１】
リセプタクル側アンカー４０は、壁部２２、２３に対して上側から挿入されてリセプタクル本体２０に組み付けられ、半田付けによりリセプタクル側固定部４８、４９がリセプタクル本体２０に固定される。このリセプタクル側固定部４８、４９は、リセプタクル本体２０から外側へ延出して取付対象物に対して電気的及び機械的に接続される。
【００２２】
弾性保持部４３は、圧延により一定の板厚とした一定幅の板状部材を折り曲げ加工してなるものであって、リセプタクル本体２０に組み付けたときにプラグコネクタ５０の挿抜方向と略垂直となる第１水平部４３ａと、この第１水平部４３ａから延設され、上向きの開口を備えた略Ｕ字状の凹部４３ｂと、凹部４３ｂの端部をいったん第１水平部４３ａと平行な方向に曲成した後に下側に折り返すことにより下向きの開口を備えた係合部４３ｃと、からなる。この係合部４３ｃは、凹部４３ｂの連結部４２から遠い側の端部から、連結部４２から離れる方向に延び、リセプタクル本体２０に設けられた被係合部２４に係合される（図１（ｃ））。
【００２３】
図２に示すプラグコネクタ５０は、絶縁部材である合成樹脂のインサート成型品からなる略直方体形状のプラグ本体６０と、それぞれ帯状の金属部材からなりプラグ本体６０の長手方向に沿った両側にそれぞれリセプタクルコネクタ１０におけるリセプタクルコンタクト３０と対応して同じピッチで配設された複数のプラグコンタクト７０と、プラグ本体６０の長手方向両端に設けた壁部６４、６５のそれぞれに対して組み付けられたプラグ側アンカー８０と、を備える。
【００２４】
プラグ本体６０は、例えばナイロン９Ｔ（商標）、変性ナイロン、液晶ポリマーからなり、プラグコンタクト７０とともに一体成型（インサート成型）してなる絶縁性部材である。このプラグ本体６０の壁部６４には、プラグコネクタ５０をリセプタクルコネクタ１０に嵌合したときに誘い込み凹部２５及び誘い込み凹部２６に対応する位置に、案内柱部９１及び案内柱部９２が設けられている。一方、壁部６５には、プラグコネクタ５０をリセプタクルコネクタ１０に嵌合したときに誘い込み凹部２８に対応する位置に、案内柱部９３が設けられている。案内柱部９１〜９３は、リセプタクルコネクタ１０に対するプラグコネクタ５０の挿抜方向（図２（ａ）の上下方向）直交断面が略半円で、この挿抜方向に延びる柱状をなし、湾曲した側面９１ａ〜９３ａを外方に向けて配置されている。案内柱部９１〜９３は、プラグコネクタ５０の挿抜方向に沿ってリセプタクルコネクタ１０側へ延び、かつ、互いに離間するように配置されている。これら案内柱部９１〜９３のリセプタクルコネクタ１０側の先端部９１ｂ〜９３ｂは、先細形状となっており、壁部６４及び壁部６５のリセプタクルコネクタ１０側の端面６４ａ及び端面６５ａよりも突出している。ここで、図２（ｄ）に示すように、側面９３ａと先端部９３ｂとの境界線Ｐ２は、端面６５ａよりも距離Ｄ（Ｄ＞０）だけリセプタクルコネクタ１０側に配置されている。本実施形態では、側面９１ａ〜９３ａに対する先端部９１ｂ〜９３ｂそれぞれの傾斜角度（プラグコネクタ５０の挿抜方向に対する傾斜角度）は、立設面２５ｂ、２６ｂ、２８ｂに対する傾斜面２５ｃ、２６ｃ、２８ｃの傾斜角度（プラグコネクタ５０の挿抜方向に対する傾斜角度）と同じ又は小さくされている。図２（ｄ）に案内柱部９３及び壁部６５の断面形状を示すが、案内柱部９１及び案内柱部９２の形状もこれと同様である。
【００２５】
プラグコンタクト７０はプラグ本体６０の長手方向壁部６１を貫通するように配置され、長手方向壁部６１から外側へ延びるプラグ側端子部７４は取付対象物（例えば回路基板）の導電パターンに半田固定される。また、プラグ側アンカー８０は、そのプラグ側固定部８８、８９がそれぞれ取付対象物に対して電気的及び機械的に接続されている。
【００２６】
以上の構成によれば、プラグコネクタ５０をリセプタクルコネクタ１０に嵌合すると、リセプタクルコンタクト３０内にプラグコンタクト７０が嵌合され、壁部６４又は壁部６５とともにプラグ側アンカー８０が凹部４３ｂ内に嵌入されて、プラグ側アンカー８０がリセプタクル側アンカー４０に保持される。これにより、プラグコネクタ５０とリセプタクルコネクタ１０とのロック状態を実現し、かつ、プラグ側アンカー８０とリセプタクル側アンカー４０が互いに導通する（図３）。
【００２７】
プラグコネクタ５０のリセプタクルコネクタ１０への嵌合は、まず案内柱部９１〜９３の先端部９１ｂ〜９３ｂを誘い込み凹部２５、２６、２８にそれぞれ挿入することにより開始し、つづいてリセプタクルコンタクト３０とプラグコンタクト７０とが当接し、その後、先端部９１ｂ〜９３ｂを収納部３５、３６、３８にそれぞれ挿入することで終了する（図４参照）。
【００２８】
先端部９１ｂ〜９３ｂが先細形状であり、かつ、誘い込み凹部２５、２６、２８に傾斜面２５ｃ、２６ｃ、２８ｃをそれぞれ設けているため、目視し難い状況の手動嵌合や、自動嵌合のような大きな嵌合ずれがあっても修正可能な誘い込み寸法を確保することができる。
【００２９】
さらに、案内柱部９１〜９３を互いに離間して配置し、かつ、案内柱部９１及び案内柱部９２と、案内柱部９３と、をプラグコネクタ５０の長手方向両端にそれぞれ配置したため、プラグコネクタ５０とリセプタクルコネクタ１０とが正しく向いていない状態で嵌合しようとしても、案内柱部９１〜９３の誘い込み凹部２５、２６、２８に対する向きを正しいものとすることができる。また、傾斜面２５ｃ、２６ｃ、２８ｃの傾斜角度を先端部９１ｂ〜９３ｂの傾斜角度よりそれぞれ大きくしているため、より誘い込み易くなっている。例えば、図４（ａ）のように側面９３ａが立設面２８ｂよりも外側にある状態でプラグコネクタ５０をリセプタクルコネクタ１０に嵌合する場合には、図４（ｂ）に示すように案内柱部の先端面９３ｃを傾斜面２８ｃに突き当てることにより、案内柱部９３を誘い込み凹部２８内に誘導することができる。嵌合ずれの許容量は、先端部９１ｂ〜９３ｂの傾斜範囲及び傾斜面２５ｃ、２６ｃ、２８ｃの傾斜範囲を拡大することにより増大させることができる。
【００３０】
また、収納部３５、３６、３８内に先端部９１ｂ、９２ｂ、９３ｂをそれぞれ収納することとしたため、プラグコネクタ５０の挿抜方向における案内柱部９１、９２、９３の高さを大きくすることができる。これにより、コネクタの低背化を実現しつつ、嵌合ずれを修正するための誘い込み寸法を十分確保することができる。
【００３１】
また、図４（ｂ）に示すように傾斜面２８ｃと先端面９３ｃが当接した後、リセプタクルコンタクト３０とプラグコンタクト７０とが当接する前に、プラグコネクタ５０の挿抜方向における境界線Ｐ１と境界線Ｐ２の高さが同じ高さになる。これは、誘い込み凹部２５と案内柱部９１、及び、誘い込み凹部２６と案内柱部９２においても同様である。したがって、傾斜面２５ｃ、２６ｃ、２８ｃの傾斜角度その他の誘い込み凹部２５、２６、２８の形状、及び、先端部９１ｂ、９２ｂ、９３ｂの傾斜角度その他の案内柱部９１、９２、９３の形状、寸法により、リセプタクルコンタクト３０とプラグコンタクト７０とが当接する前に、リセプタクルコネクタ１０に対してプラグコネクタ５０を正対させることができる。
【００３２】
さらに、案内柱部９１〜９３においては、端面６４ａ又は端面６５ａとＰ２との間に鉛直面が形成されていることが好ましい。すなわち、距離Ｄが０より大きいことが好ましい。この距離Ｄが大きいほど、傾斜面２５ｃ、２６ｃ、２８ｃと先端部９１ｂ、９２ｂ、９３ｂとの当接から、リセプタクルコンタクト３０とプラグコンタクト７０との当接までの間に、正しい嵌合位置で嵌合できるように、リセプタクルコネクタ１０に対する位置を自動的に調整しつつプラグコネクタ５０を移動する距離を大きくすることができる。これにより、リセプタクルコネクタ１０に対してプラグコネクタ５０を正対させることが容易となるとともに、より安定した嵌合が可能となる。すなわち、案内柱部が形成されていないコネクタと比較して、より大きな嵌合ずれを許容できるとともに、コンタクト同士の当接の前に確実にコネクタを正対させることが可能となる。
【００３３】
さらに、嵌合時にリセプタクルコネクタ１０の中に、プラグコネクタ５０が入り込む構造であるため、リセプタクルコネクタ１０の差込溝２１の内壁に誘い込み凹部を形成することから、実装面積を決定するリセプタクルコネクタ１０の外形を大きくすることなく、上記効果を得ることができる。また、リセプタクルコネクタ１０、すなわち嵌合後の外形状を凹凸の少ない四角形状に維持できる。
【００３４】
また、本実施形態では、誘い込み凹部２５、２６、２８の断面形状を略Ｖ字状及び略コの字状の組み合わせとしている。略Ｖ字状とすると、大きな嵌合ずれがあっても案内柱部９１〜９３を誘導しやすく、かつ、案内柱部９１〜９３の形状や寸法が製造のばらつき等で変動しても確実に２点で保持することができる。一方を若干のクリアランス（０．０２〜０．０５ｍｍ程度）を持つように設定した略コの字状とすると、上記の製造のばらつきが生じたとしても確実に嵌合することができるとともに、嵌合の位置合せの規制を設定することができる。誘い込み凹部２５、２６、２８の形状を略Ｖ字状及び略コの字状の組み合わせとすることにより、大きな嵌合ずれの修正が可能であり、リセプタクルコネクタ１０へのプラグコネクタ５０の挿入が容易であり、様々な形状又は寸法の案内柱部に対応可能なコネクタを実現することができる。
【００３５】
以下に変形例について説明する。
誘い込み凹部は、壁部２２及び壁部２３にそれぞれ一つ以上設ければいくつ設けてもよい。また、案内柱部は、壁部６４及び壁部６５にそれぞれ一つ以上設ければいくつ設けてもよい。これらの構成により、嵌合ずれがあっても案内柱部を誘い込むことができる。誘い込み凹部を壁部２２及び壁部２３にそれぞれ一つずつ設ける場合は、略長方形の平面形状のリセプタクルコネクタ１０の対角又はこれに近い位置に配置することが好ましい。プラグコネクタ５０の嵌合方向直交平面上において、リセプタクルコネクタ１０に対するプラグコネクタ５０の相対位置をより正確に規定することができるからである。同様に、案内柱部を壁部６４及び壁部６５にそれぞれ一つずつ設ける場合は、略長方形の平面形状のプラグコネクタ５０の対角又はこれに近い位置に配置することが好ましい。
【００３６】
さらに、リセプタクルコネクタ１０に対するプラグコネクタ５０の向きに応じて嵌合の可否を選択できるように、リセプタクルコネクタ１０の誘い込み凹部を設定してもよい。すなわち、ある向きではプラグコネクタ５０はリセプタクルコネクタ１０に嵌合可能であるが、嵌合方向直交平面上でプラグコネクタ５０を１８０度回転させた場合はリセプタクルコネクタ１０に嵌合できないように、誘い込み凹部の有無、位置、形状を設定しても良い。
【００３７】
誘い込み凹部２５〜２８の断面形状は、略Ｖ字状、略コの字状のほか、円弧状、Ｕ字状などとすることもできる。これに対して、案内柱部９１〜９３の断面形状は、略半円のほか、多角形状とすることもできる。
【００３８】
収納部３５〜３８はリセプタクル本体２０の底部２０ａの上面２０ａ１から下面２０ａ３（図１（ｃ））まで貫通した貫通孔として設けることもできる。これにより、より長い案内柱部を収納できるようになるため、低背化を実現しつつより大きな嵌合ずれにも対応可能となる。しかしながら、リセプタクル本体２０の強度保持及びリフロー時のフラックスやガスの侵入防止のためには貫通させないことが好ましい。
【００３９】
＜第２実施形態＞
つづいて、本発明の第２実施形態について説明する。この第２実施形態は、本発明を、リセプタクル側アンカー及びプラグ側アンカーがなく、リセプタクルコネクタの底部に位置合わせのためのボス部が設けられたタイプのコネクタに適用したものであって、誘い込み凹部の数及び配置、案内柱部の数及び配置、並びに、収納部の配置が第１実施形態と異なる。その他の構成は第１実施形態と同様であって、第１実施形態と重複する説明は省略する。
【００４０】
図５に示すリセプタクルコネクタ１１０は、プラグコネクタ１５０が挿抜される差込溝１２１が設けられた略直方体形状のリセプタクル本体１２０と、差込溝１２１の両側にそれぞれ配設された複数のリセプタクルコンタクト１３０を備える。
【００４１】
リセプタクル本体１２０は、リセプタクル本体２０と同様に、絶縁部材である合成樹脂の射出成型品である。このリセプタクル本体１２０の長手方向両端の壁部１２２、１２３の内壁の長手方向略中央位置には、リセプタクルコネクタ１１０に対するプラグコネクタ１５０の挿抜方向（図５（ａ）の上下方向）直交断面が略Ｖ字状に凹設された誘い込み凹部１２５、１２６がそれぞれ設けられている。また、リセプタクル本体１２０の底部１２７からは、基板に対してリセプタクルコネクタ１１０を実装する位置を規定するためのボス部（突起部）１２８、１２９が下方に突出している。このボス部は、誘い込み凹部１２５及び誘い込み凹部１２６の下方にそれぞれ位置している。
【００４２】
図５（ｃ）に示すように、誘い込み凹部１２５、１２６は、プラグコネクタ１５０の挿入方向に沿って、リセプタクル本体１２０の底部１２０ａの上面１２０ａ１から下面１２０ａ３まで貫通し、さらにボス部１２８、１２９内に凹設された有底孔１２８ａまで連通してなる収納部１３８、１３９に連設されている。収納部１３８、１３９は、傾斜段部１２０ａ２を介して、リセプタクル本体１２０の底部１２０ａの上面１２０ａ１まで連設されている。一方、誘い込み凹部１２５、１２６の立設面１２５ｂ、１２６ｂの上部には、上方へ向かうほど外側へ広がっていくような傾斜面１２５ｃ、１２６ｃがそれぞれ形成されている。
【００４３】
リセプタクルコンタクト１３０は差込溝１２１を挟むように配置され、差込溝１２１の外側に延びるリセプタクル側端子部１３４は取付対象物（例えば回路基板）の導電パターンに半田固定される。
【００４４】
図６に示すプラグコネクタ１５０は、絶縁部材である合成樹脂のインサート成型品からなる略直方体形状のプラグ本体１６０と、それぞれ帯状の金属部材からなりプラグ本体１６０の長手方向に沿った両側にそれぞれリセプタクルコネクタ１１０におけるリセプタクルコンタクト１３０と対応して同じピッチで配設された複数のプラグコンタクト１７０と、を備える。
【００４５】
プラグ本体１６０は、プラグ本体６０と同様に、プラグコンタクト１７０とともに一体成型（インサート成型）してなる絶縁性部材である。このプラグ本体１６０の長手方向両端の壁部１６４、１６５には、プラグコネクタ１５０をリセプタクルコネクタ１１０に嵌合したときに誘い込み凹部１２５及び誘い込み凹部１２６に対応する位置に、案内柱部１９１及び案内柱部１９２がそれぞれ設けられている。案内柱部１９１、１９２は、リセプタクルコネクタ１１０に対するプラグコネクタ１５０の挿抜方向（図６（ａ）の上下方向）直交断面が略円形で、この挿抜方向に延びる柱状をなしている。案内柱部１９１、１９２は、プラグコネクタ１５０の挿抜方向に沿ってリセプタクルコネクタ１１０側へ延びている。案内柱部１９１、１９２のリセプタクルコネクタ１１０側の先端部１９１ｂ、１９２ｂは、先細形状となっているとともに頂点部は球状となっており、壁部１６４及び壁部１６５のリセプタクルコネクタ１１０側の端面１６４ａ及び端面１６５ａよりも突出している。案内柱部１９１、１９２の外周面１９１ａ、１９２ａに対する先端部１９１ｂ、１９２ｂの傾斜角度は、立設面１２５ｂ及び立設面１２６ｂに対する傾斜面１２５ｃ及び傾斜面１２６ｃの傾斜角度と同じ又は小さくされている。
【００４６】
プラグコンタクト１７０はプラグ本体１６０の長手方向壁部１６１を貫通するように配置され、長手方向壁部１６１から外側へ延びるプラグ側端子部１７４は取付対象物（例えば回路基板）の導電パターンに半田固定される。
【００４７】
以上の構成によれば、プラグコネクタ１５０をリセプタクルコネクタ１１０に嵌合すると、リセプタクルコンタクト１３０内にプラグコンタクト１７０が嵌合される（図７）。プラグコネクタ１５０のリセプタクルコネクタ１１０への嵌合は、まず案内柱部１９１及び案内柱部１９２の先端部１９１ｂ及び先端部１９２ｂを誘い込み凹部１２５及び誘い込み凹部１２６にそれぞれ挿入することにより開始し、つづいてリセプタクルコンタクト１３０とプラグコンタクト１７０とが当接し、その後、先端部１９１ｂ及び先端部１９２ｂを収納部１３８及び収納部１３９にそれぞれ挿入することで終了する（図８参照）。
【００４８】
第２実施形態では、ボス部１２８及びボス部１２９内に収納部１３８及び収納部１３９を凹設し、この内部に先端部１９１ｂ及び先端部１９２ｂをそれぞれ収納することとしている。これにより、第１実施形態の９１〜９３と比較して、プラグコネクタ１５０の挿抜方向における案内柱部１９１及び案内柱部１９２の高さをさらに大きくすることができる。よって、案内柱部の傾斜面を大きくすることが可能であるからコネクタの低背化を実現しつつ、嵌合ずれを修正するための誘い込み寸法をさらに大きく確保することができる。
【００４９】
さらに、実装基板に、リセプタクルコネクタ１１０を位置決めするボス部１２８、１２９に対応する孔と、実装基板と案内柱部１９１、１９２との干渉とを避ける為の孔と、をそれぞれ形成する必要がなくなる。すなわち、実装基板の孔を共用することができるようになる。これにより、基板配線の設計自由度が高くなるとともに、高密度化を実現できる。
【００５０】
また、収納部１３８、１３９をボス部１２８、１２９内に凹設された有底孔１２８ａ、１３９ａとすることで、リセプタクルコネクタ１１０の底部１２０ａに外部に通ずる貫通孔がないことから、リセプタクル本体１２０の強度保持及び実装する際のリフロー時のフラックスやガスの侵入防止をすることができる。
【００５１】
さらに、実質的に、案内柱部を含んだプラグコネクタの総高さを、嵌合時の基板間の高さ以上とすることができる。上述の説明では、収納部１３８、１３９をボス部１２８、１２９内に凹設された有底孔１２８ａまで連通してなるものとしたが、要求される嵌合ずれの許容量、基板厚、ボス部１２８、１２９の大きさ等に応じて、有底孔１２８ａを貫通孔とし、収納部を、底部１２０ａの上面１２０ａ１からボス部１２８、１２９内の貫通孔まで連通する構成としてもよい。
【００５２】
また、本実施形態では誘い込み凹部１２５及び誘い込み凹部１２６を壁部１２２及び壁部１２３に一つずつ設け、これらに対応する案内柱部１９１、１９２を壁部１６４及び壁部１６５に一つずつ設けている。これは、案内柱部が大きくなったことにより、案内柱部が離間する距離が短くなったり、対応する誘い込み凹部が複数形成されることによるリセプタクル本体１２０の強度低下や、コネクタ組立機の生産性の低下等を防ぐ目的がある。
【００５３】
なお、その他の作用、効果、変形例は第１実施形態と同様である。従って、案内柱部や誘い込み凹部の数や位置、形状は、コネクタに要求される嵌合ずれの許容量、嵌合時の基板間高さ、金具の有無、ボス部の形成の可否、生産性等の設計的制約の中で選択し設定するものである。
【００５４】
また、嵌合ずれの許容量は、案内柱部の先細となるように形成された部分の形状により任意に設定することが可能となる。つまり挿抜方向に対する傾斜面の角度、突出する高さ、大きさ、先端の形状を設定することで可能となる。
【００５５】
本発明について上記実施形態を参照しつつ説明したが、本発明は上記実施形態に限定されるものではなく、改良の目的または本発明の思想の範囲内において改良または変更が可能である。
【図面の簡単な説明】
【００５６】
【図１】（ａ）は本発明の第１実施形態に係るリセプタクルコネクタの構成を示す斜視図であり、（ｂ）はその平面図、（ｃ）は（ｂ）のＩＣ−ＩＣ線に沿った断面図であって、誘い込み凹部及び収納部の構成を拡大して示す図である。
【図２】（ａ）は本発明の第１実施形態に係るプラグコネクタの構成を示す斜視図であり、（ｂ）はその平面図、（ｃ）はその側面図、（ｄ）は（ｂ）のＩＩＤ−ＩＩＤ線に沿った断面図であって、案内柱部の構成を示す図である。
【図３】（ａ）は本発明の第１実施形態に係るプラグコネクタをリセプタクルコネクタに嵌合するときの状態を示す側面図であり、（ｂ）は嵌合後の状態を示す斜視図である。
【図４】（ａ）は本発明の第１実施形態に係るプラグコネクタをリセプタクルコネクタに嵌合するときに案内柱部が誘い込み凹部に挿入される様子を示す縦断面図であり、（ｂ）は案内柱部を傾斜面に突き当てた状態を示す縦断面図であり、（ｃ）は嵌合後の状態を示す縦断面図である。
【図５】（ａ）は本発明の第２実施形態に係るリセプタクルコネクタの構成を示す斜視図であり、（ｂ）はその平面図、（ｃ）は（ｂ）のＶＣ−ＶＣ線に沿った断面図である。
【図６】（ａ）は本発明の第２実施形態に係るプラグコネクタの構成を示す斜視図であり、（ｂ）はその平面図、（ｃ）は（ｂ）のＶＩＣ−ＶＩＣ線に沿った断面図である。
【図７】（ａ）は本発明の第２実施形態に係るプラグコネクタをリセプタクルコネクタに嵌合するときの状態を示す側面図であり、（ｂ）は嵌合後の状態を示す平面図である。
【図８】（ａ）は本発明の第２実施形態に係るプラグコネクタをリセプタクルコネクタに嵌合するときに案内柱部が誘い込み凹部に挿入される様子を示す縦断面図であり、（ｂ）は案内柱部を傾斜面に突き当てた状態を示す縦断面図であり、（ｃ）は嵌合後の状態を示す拡大縦断面図である。
【符号の説明】
【００５７】
１０  リセプタクルコネクタ
２０  リセプタクル本体
２０ａ  底部
２０ａ１  上面
２０ａ３  下面
２１  差込溝
２５  誘い込み凹部
２５ｃ  傾斜面
２６  誘い込み凹部
２６ｃ  傾斜面
２７  誘い込み凹部
２７ｃ  傾斜面
２８  誘い込み凹部
２８ｃ  傾斜面
３０  リセプタクルコンタクト
３５  収納部
３６  収納部
３７  収納部
３８  収納部
５０  プラグコネクタ
６０  プラグ本体
７０  プラグコンタクト
９１  案内柱部
９１ｂ  先端部
９２  案内柱部
９２ｂ  先端部
９３  案内柱部
９３ｂ  先端部
１１０  リセプタクルコネクタ
１２０  リセプタクル本体
１２０ａ  底部
１２０ａ１  上面
１２０ａ３  下面
１２１  差込溝
１２５  誘い込み凹部
１２５ｃ  傾斜面
１２６  誘い込み凹部
１２６ｃ  傾斜面
１２８  ボス部
１２９  ボス部
１３０  リセプタクルコンタクト
１３８  収納部
１３９  収納部
１５０  プラグコネクタ
１６０  プラグ本体
１７０  プラグコンタクト
１９１  案内柱部
１９２  案内柱部
Ｐ１    境界線
Ｐ２    境界線
【図１】
2006210206.tif 000003
【図２】
2006210206.tif 000004
【図３】
2006210206.tif 000005
【図４】
2006210206.tif 000006
【図５】
2006210206.tif 000007
【図６】
2006210206.tif 000008
【図７】
2006210206.tif 000009
【図８】
2006210206.tif 000010